【手続補正書】
【提出日】平成19年11月19日(2007.11.19)
【手続補正１】
【補正対象書類名】明細書
【補正対象項目名】特許請求の範囲
【補正方法】変更
【補正の内容】
【特許請求の範囲】
【請求項１】  テレビジョン放送信号を受信する受信装置であって、
前記受信装置を操作するためのユーザ指示を受け付ける操作部と、
前記操作部による操作履歴に基づいて、前記受信装置のユーザの嗜好に関する内部ユーザプロファイルを生成するプロファイル処理手段と、
前記受信装置の外部より、他の受信装置に係る操作履歴に基づいて生成された前記他の受信装置のユーザの嗜好に関する外部ユーザプロファイルを入力する外部インターフェイスと、
前記プロファイル処理手段により生成された前記内部ユーザプロファイル、及び前記外部インターフェイスを介して入力された前記外部ユーザプロファイルを記憶する記憶部と、
前記内部ユーザプロファイルまたは前記外部ユーザプロファイルのいずれか一方のユーザプロファイルを選択するための選択手段と、
前記選択手段により選択されたユーザプロファイルを前記記憶部から読み出して、前記テレビジョン放送信号に多重して送信される複数の番組の中から当該選択されたユーザプロファイルに対応する番組を検索する検索手段と、
前記記憶部に前記外部ユーザプロファイルが記憶されてから所定期間が経過したことに応じて、前記記憶部に記憶された前記外部ユーザプロファイルを消去する制御手段とを備える受信装置。
【請求項２】  前記制御手段は、前記操作部による操作履歴に基づいて、前記記憶部に記憶された前記外部ユーザプロファイルを更新する請求項１に記載の受信装置。
【請求項３】  前記制御手段は、更新した前記外部ユーザプロファイルを前記外部ユーザインターフェイスを介して前記受信装置の外部に出力する請求項２に記載の受信装置。
【請求項４】  さらに、前記テレビジョン放送信号に多重して送信された複数の番組を蓄積する蓄積部を備え、
前記検索手段は、前記蓄積部に蓄積された複数の番組の中から前記選択手段により選択されたユーザプロファイルに対応する番組を検索する請求項１から請求項３までのいずれか一項に記載の受信装置。
【請求項５】  テレビジョン放送信号を受信する受信装置であって、
前記受信装置を操作するためのユーザ指示を受け付ける操作部と、
前記操作部による操作履歴に基づいて、前記受信装置のユーザの嗜好に関する内部ユーザプロファイルを生成するプロファイル処理手段と、
前記受信装置の外部より、他の受信装置に係る操作履歴に基づいて生成された前記他の受信装置のユーザの嗜好に関する外部ユーザプロファイルを入力する外部インターフェイスと、
前記プロファイル処理手段により生成された前記内部ユーザプロファイル、及び前記外部インターフェイスを介して入力された前記外部ユーザプロファイルを記憶する記憶部と、
前記内部ユーザプロファイルまたは前記外部ユーザプロファイルのいずれか一方のユーザプロファイルを選択するための選択手段と、
前記選択手段により選択されたユーザプロファイルを前記記憶部から読み出して、前記テレビジョン放送信号に多重して送信される複数の番組の中から当該選択されたユーザプロファイルに対応する番組を検索する検索手段と、
前記選択手段により前記外部ユーザプロファイルが選択され、当該選択された外部ユーザプロファイルに対応する番組が前記検索手段により検索された場合、前記記憶部に記憶された前記外部ユーザプロファイルを消去する制御手段とを備える受信装置。
【請求項６】  テレビジョン放送信号を受信する受信装置の制御方法であって、
前記受信装置を操作するためのユーザ指示を受け付ける操作ステップと、
前記操作ステップでの操作履歴に基づいて、前記受信装置のユーザの嗜好に関する内部ユーザプロファイルを生成するプロファイル処理ステップと、
前記受信装置の外部より、他の受信装置に係る操作履歴に基づいて生成された前記他の受信装置のユーザの嗜好に関する外部ユーザプロファイルを入力する入力ステップと、
前記プロファイル処理ステップで生成された前記内部ユーザプロファイル、及び前記入力ステップで入力された前記外部ユーザプロファイルを記憶部に記憶する記憶ステップと、
前記内部ユーザプロファイルまたは前記外部ユーザプロファイルのいずれか一方のユーザプロファイルを選択する選択ステップと、
前記選択ステップで選択されたユーザプロファイルを前記記憶部から読み出して、前記テレビジョン放送信号に多重して送信される複数の番組の中から当該選択されたユーザプロファイルに対応する番組を検索する検索ステップと、
前記記憶部に前記外部ユーザプロファイルが記憶されてから所定期間が経過したことに応じて、前記記憶部に記憶された前記外部ユーザプロファイルを消去する消去制御ステップとを有する制御方法。
【請求項７】  さらに、前記操作部による操作履歴に基づいて、前記記憶部に記憶された前記外部ユーザプロファイルを更新する更新ステップを有する請求項６に記載の制御方法。
【請求項８】  前記更新ステップは、更新した前記外部ユーザプロファイルを前記外部ユーザインターフェイスを介して前記受信装置の外部に出力する請求項７に記載の制御方法。
【請求項９】  さらに、前記テレビジョン放送信号に多重して送信された複数の番組を蓄積する蓄積ステップを有し、
前記検索ステップは、前記蓄積部に蓄積された複数の番組の中から前記選択ステップで選択されたユーザプロファイルに対応する番組を検索する請求項６から請求項８までのいずれか一項に記載の制御方法。
【請求項１０】  テレビジョン放送信号を受信する受信装置の制御方法であって、
前記受信装置を操作するためのユーザ指示を受け付ける操作ステップと、
前記操作ステップでの操作履歴に基づいて、前記受信装置のユーザの嗜好に関する内部ユーザプロファイルを生成するプロファイル処理ステップと、
前記受信装置の外部より、他の受信装置に係る操作履歴に基づいて生成された前記他の受信装置のユーザの嗜好に関する外部ユーザプロファイルを入力する入力ステップと、
前記プロファイル処理ステップで生成された前記内部ユーザプロファイル、及び前記入力ステップで入力された前記外部ユーザプロファイルを記憶部に記憶する記憶ステップと、
前記内部ユーザプロファイルまたは前記外部ユーザプロファイルのいずれか一方のユーザプロファイルを選択する選択ステップと、
前記選択ステップで選択されたユーザプロファイルを前記記憶部から読み出して、前記テレビジョン放送信号に多重して送信される複数の番組の中から当該選択されたユーザプロファイルに対応する番組を検索する検索ステップと、
前記選択ステップで前記外部ユーザプロファイルが選択され、当該選択された外部ユーザプロファイルに対応する番組が前記検索ステップで検索された場合、前記記憶部に記憶された前記外部ユーザプロファイルを消去する消去制御ステップとを有する制御方法。
【請求項１１】  請求項６から請求項１０までのいずれか一項に記載の方法をコンピュータに実行させるためのプログラムが格納されたコンピュータ読取り可能な記録媒体。
【手続補正２】
【補正対象書類名】明細書
【補正対象項目名】００１２
【補正方法】変更
【補正の内容】
【００１２】
【課題を解決するための手段】
前記の如き目的を達成するため、本発明に係る受信装置は、テレビジョン放送信号を受信する受信装置であって、前記受信装置を操作するためのユーザ指示を受け付ける操作部と、前記操作部による操作履歴に基づいて、前記受信装置のユーザの嗜好に関する内部ユーザプロファイルを生成するプロファイル処理手段と、前記受信装置の外部より、他の受信装置に係る操作履歴に基づいて生成された前記他の受信装置のユーザの嗜好に関する外部ユーザプロファイルを入力する外部インターフェイスと、前記プロファイル処理手段により生成された前記内部ユーザプロファイル、及び前記外部インターフェイスを介して入力された前記外部ユーザプロファイルを記憶する記憶部と、前記内部ユーザプロファイルまたは前記外部ユーザプロファイルのいずれか一方のユーザプロファイルを選択するための選択手段と、前記選択手段により選択されたユーザプロファイルを前記記憶部から読み出して、前記テレビジョン放送信号に多重して送信される複数の番組の中から当該選択されたユーザプロファイルに対応する番組を検索する検索手段と、前記記憶部に前記外部ユーザプロファイルが記憶されてから所定期間が経過したことに応じて、前記記憶部に記憶された前記外部ユーザプロファイルを消去する制御手段とを備える。
また、本発明に係る受信装置の制御方法は、テレビジョン放送信号を受信する受信装置の制御方法であって、前記受信装置を操作するためのユーザ指示を受け付ける操作ステップと、前記操作ステップでの操作履歴に基づいて、前記受信装置のユーザの嗜好に関する内部ユーザプロファイルを生成するプロファイル処理ステップと、前記受信装置の外部より、他の受信装置に係る操作履歴に基づいて生成された前記他の受信装置のユーザの嗜好に関する外部ユーザプロファイルを入力する入力ステップと、前記プロファイル処理ステップで生成された前記内部ユーザプロファイル、及び前記入力ステップで入力された前記外部ユーザプロファイルを記憶部に記憶する記憶ステップと、前記内部ユーザプロファイルまたは前記外部ユーザプロファイルのいずれか一方のユーザプロファイルを選択する選択ステップと、前記選択ステップで選択されたユーザプロファイルを前記記憶部から読み出して、前記テレビジョン放送信号に多重して送信される複数の番組の中から当該選択されたユーザプロファイルに対応する番組を検索する検索ステップと、前記記憶部に前記外部ユーザプロファイルが記憶されてから所定期間が経過したことに応じて、前記記憶部に記憶された前記外部ユーザプロファイルを消去する消去制御ステップとを有する。
また、本発明に係る記憶媒体は、上記制御方法をコンピュータに実行させるためのプログラムが格納されたコンピュータ読取り可能な記録媒体である。